(57)【要約】【課題】簡単な構造で確実に化粧品などを密封できるコンパクト容器を提供する。【解決手段】コンパクト容器１０は、内部空間２１を有する第１容器２０と、内部空間２１を開閉可能に第１容器２０に連結された第１蓋３０と、内部空間２１に配置されており、環状の周壁４１、及び周壁４１から径方向外側へ延びて内部空間２１における周壁４１の外側の領域を閉塞する閉塞壁４２を有するフレーム４０と、周壁４１の内側に収容可能であり、内部空間５１を有する第２容器５０と、内部空間５１を開閉可能に第２容器５０に連結された第２蓋６０とを備える。第２容器５０は、内部空間５１を囲むように形成され下方に凹んだ環状溝５５を備える。環状溝５５に弾性体からなるシール部材５６が嵌め込まれている。第２蓋６０は、下面６０Ａに環状リブ６５を備える。環状リブ６５は、第２蓋６０が開口５２を閉じた状態においてシール部材５６に圧接している。【選択図】図１
2018191778.tif 000002
【特許請求の範囲】
【請求項１】
第１内部空間及び上記第１内部空間を第１向きに開放する第１開口を有する第１容器と、
上記第１容器に対して上記第１開口を開閉するように回動可能に連結された第１蓋と、
上記第１内部空間に配置された状態で上記第１容器に取り付けられており、上記第１向きに開放された環状の周壁、及び上記周壁の径方向に沿って上記周壁から外側へ延びて上記第１開口における上記周壁の外側の領域を閉塞する閉塞壁を有するフレームと、
上記第１内部空間における上記周壁の内側に収容可能であり、第２内部空間及び上記第２内部空間を上記第１向きに開放する第２開口を有する第２容器と、
上記第２容器に対して上記第２開口を開閉するように回動可能に連結された第２蓋と、
上記第２容器を上記フレームに対して着脱自在に係合する係合部と、を備え、
上記第２容器は、上記第２開口の外側に上記第２開口を囲むように形成され且つ上記第１向きと逆向きの第２向きに凹んだ環状溝を備え、
上記環状溝に、弾性体からなるシール部材が嵌め込まれており、
上記第２蓋は、上記第２開口を閉じた状態において上記第２向きを向く対向面に環状リブを備え、
上記環状リブは、上記第２蓋が上記第２開口を閉じた状態において、上記シール部材に圧接しているコンパクト容器。
【請求項２】
上記第１容器は、上記第１内部空間を上記第２向きに開放する第３開口を備え、
上記第２容器は、底壁と、上記底壁の周縁から上記第１向きに延びた環状の側壁とを備え、
上記第２容器が上記第１内部空間に収容された状態において、上記第３開口は、上記底壁によって閉塞されている請求項１に記載のコンパクト容器。
【請求項３】
上記第２蓋の上記対向面における上記環状リブの内側は、多数の凹凸が形成された粗面である請求項１または２に記載のコンパクト容器。
【請求項４】
上記第２容器は、底壁と、上記底壁の周縁から上記第１向きに延びた環状の側壁とを備え、
上記コンパクト容器は、上記側壁の内径と略同一の外径である第１環状壁と、上記第１環状壁の上記第１向きの端部から上記第１環状壁の内側へ向けて延びた第２環状壁とを有し、上記第１環状壁が上記側壁と対向するように上記第２内部空間に圧入可能な圧入部材を更に備える請求項１から３のいずれかに記載のコンパクト容器。
【請求項５】
上記圧入部材は、上記第２容器よりも軟らかい請求項４に記載のコンパクト容器。
【請求項６】
上記フレームの上記閉塞壁は、第１壁と、上記第１壁よりも上記第２向きに位置する第２壁と、上記第１壁及び上記第２壁を繋ぐ第３壁とによって区画された凹部を備え、
上記凹部は、上記第１向き、上記第１向きに直交する第３向き、及び上記第３向きと逆向きの第４向きに開放されており、
上記第１容器は、上記第１向きの端から上記第２向きに切り欠かれており上記第３向き及び上記第４向きに開放された切り欠きを備え、
上記第２壁及び上記第３壁は、上記切り欠きに収容されており、
上記第２容器及び上記第２蓋の連結部が、上記凹部に収容されている請求項１から５のいずれかに記載のコンパクト容器。
【請求項７】
上記フレームは、上記周壁の内面及び上記閉塞壁の上記第１向きを向く面に、メッキされた金属層を備える請求項１から６のいずれかに記載のコンパクト容器。
【請求項８】
上記第１容器の上記第２向きを向く面には、凸部が形成されている請求項１から７のいずれかに記載のコンパクト容器。
【請求項９】
上記凸部は、半球状である請求項８に記載のコンパクト容器。
【請求項１０】
上記第２蓋が上記第２開口を閉じた状態において、上記第２容器及び上記第２蓋は、上記第１向きに見て同直径の円形状である請求項１から９のいずれかに記載のコンパクト容器。
【請求項１１】
上記第１蓋が上記第１開口を閉じた状態において、上記第１容器及び上記第１蓋は、上記第１向きに見て同直径の円形状であり、
上記フレームは、上記第１向きに見て上記第１容器の直径と同じ外径の円環形状である請求項１から１０のいずれかに記載のコンパクト容器。
【請求項１２】
上記第１容器は、
上記第２向きを向く円形状の底面と、
上記底面の周縁から上記第１向きへ向かうにしたがって上記底面の円の径方向の外側へ向かうように傾斜する第１傾斜面と、
上記第１傾斜面の上記第１向きの端から上記第１向きへ向かう第１側面と、を備える請求項１から１１のいずれかに記載のコンパクト容器。
【請求項１３】
上記第１蓋は、
上記第１開口を閉じた状態において上記第１向きを向く円形状の天面と、
上記第１開口を閉じた状態において上記天面の周縁から上記第２向きへ向かうにしたがって上記天面の円の径方向の外側へ向かうように傾斜する第２傾斜面と、
上記第２傾斜面の上記第２向きの端から上記第２向きへ向かう第２側面と、を備える請求項１から１２のいずれかに記載のコンパクト容器。
【発明の詳細な説明】
【技術分野】
【０００１】
本発明は、化粧品などを収容するコンパクト容器の構造に関する。
【背景技術】
【０００２】
コンパクト容器に収容されるもの、例えば化粧品は、粉体、液体、ゲル状その他の様々な性状を呈する。化粧品が収容されたコンパクト容器は、使用者に携帯されることがある。コンパクト容器は、化粧品が如何なる性状であっても、その漏洩を防止できる構造を備えている必要がある。そのため、気密性が高められたコンパクト容器が提案されている（たとえば、特許文献１〜特許文献４参照）。
【先行技術文献】
【特許文献】
【０００３】
【特許文献１】特開２００７−４４０９２号公報
【特許文献２】特開２０００−１３９５５６号公報
【特許文献３】特開２０００−２１７６２８号公報
【特許文献４】特開２０００−２１７６３０号公報
【発明の概要】
【発明が解決しようとする課題】
【０００４】
従来のコンパクト容器は、容器本体及びレフィル容器を備えている。レフィル容器は、化粧品を気密的に収容し、容器本体がレフィル容器を保持する。レフィル容器は、気密性を保つために密封構造が工夫されており、これまでに様々な提案がなされている（上記各特許文献参照）。上記各特許文献におけるレフィル容器の密封構造について詳述すると、レフィル容器の蓋部に形成された気密シール部が、レフィル容器の皿部に形成さらた環状凹部に圧入される。
【０００５】
しかしながら、上記のような密封構造の場合、環状の凸部である気密シール部が環状凹部に正確且つ迅速に圧入可能とするために、蓋部と皿部とに高い寸法精度が求められる。高い寸法精度が満たされていない場合、気密シール部を環状凹部に正確に圧入できないおそれがある。例えば、気密シール部を環状凹部に圧入させる過程において、気密シール部の先端部が皿部に当接して気密シール部が湾曲すると、気密シール部の湾曲した部分が環状凹部に挿入されないおそれがある。これにより、レフィル容器を密封できないおそれがある。
【０００６】
そこで、この発明は、簡単な構造で確実に化粧品などを密封することができるレフィル容器を備えたコンパクト容器を提供することを目的とする。
【課題を解決するための手段】
【０００７】
(1) 本発明に係るコンパクト容器は、第１内部空間及び上記第１内部空間を第１向きに開放する第１開口を有する第１容器と、上記第１容器に対して上記第１開口を開閉するように回動可能に連結された第１蓋と、上記第１内部空間に配置された状態で上記第１容器に取り付けられており、上記第１向きに開放された環状の周壁、及び上記周壁の径方向に沿って上記周壁から外側へ延びて上記第１開口における上記周壁の外側の領域を閉塞する閉塞壁を有するフレームと、上記第１内部空間における上記周壁の内側に収容可能であり、第２内部空間及び上記第２内部空間を上記第１向きに開放する第２開口を有する第２容器と、上記第２容器に対して上記第２開口を開閉するように回動可能に連結された第２蓋と、上記第２容器を上記フレームに対して着脱自在に係合する係合部と、を備える。上記第２容器は、上記第２開口の外側に上記第２開口を囲むように形成され且つ上記第１向きと逆向きの第２向きに凹んだ環状溝を備える。上記環状溝に、弾性体からなるシール部材が嵌め込まれている。上記第２蓋は、上記第２開口を閉じた状態において上記第２向きを向く対向面に環状リブを備える。上記環状リブは、上記第２蓋が上記第２開口を閉じた状態において、上記シール部材に圧接している。
【０００８】
この構成では、環状リブがシール部材に圧接されることによって、第２容器の第２内部空間が第２蓋によって密封される。つまり、第２内部空間の密封に際して、環状リブが凹部に圧入される構成ではない。これにより、第２内部空間を密封するために、第２容器と第２蓋とに高い寸法精度は不要である。
【０００９】
(2) 好ましくは、上記第１容器は、上記第１内部空間を上記第２向きに開放する第３開口を備える。上記第２容器は、底壁と、上記底壁の周縁から上記第１向きに延びた環状の側壁とを備える。上記第２容器が上記第１内部空間に収容された状態において、上記第３開口は、上記底壁によって閉塞されている。
【００１０】
この構成では、第１容器が第１開口に加えて第３開口を備える。これにより、第１容器が環状に構成される。その結果、第１容器が第３開口を備えていない場合、つまり第１容器が箱状である場合に比べて、第１容器を高い寸法精度で製造できるとともに、第１容器を軽量化できる。
【００１１】
また、第３開口が底壁によって閉塞されるため、第３開口を通じた第１内部空間への使用者のアクセスを防止することができる。
【００１２】
(3) 好ましくは、上記第２蓋の上記対向面における上記環状リブの内側は、多数の凹凸が形成された粗面である。
【００１３】
この構成では、対向面が粗面であるため、第２容器に収容された化粧品の対向面への付着を低減することができる。
【００１４】
(4) 好ましくは、上記第２容器は、底壁と、上記底壁の周縁から上記第１向きに延びた環状の側壁とを備える。本発明に係るコンパクト容器は、上記側壁の内径と略同一の外径である第１環状壁と、上記第１環状壁の上記第１向きの端部から上記第１環状壁の内側へ向けて延びた第２環状壁とを有し、上記第１環状壁が上記側壁と対向するように上記第２内部空間に圧入可能な圧入部材を更に備える。
【００１５】
通常、第２容器に収容された固形の化粧品は、両面テープなどによって第２容器の第２内部空間に保持される。しかし、この構成では、第２容器に収容された固形の化粧品は、第２環状壁によって上方から押さえられることによって、第２内部空間に保持される。よって、固形の化粧品を第２内部空間に保持するために、両面テープなどが不要である。
【００１６】
(5) 好ましくは、上記圧入部材は、上記第２容器よりも軟らかい。
【００１７】
この構成では、圧入部材を第２内部空間に容易に圧入させることができる。
【００１８】
(6) 好ましくは、上記フレームの上記閉塞壁は、第１壁と、上記第１壁よりも上記第２向きに位置する第２壁と、上記第１壁及び上記第２壁を繋ぐ第３壁とによって区画された凹部を備える。上記凹部は、上記第１向き、上記第１向きに直交する第３向き、及び上記第３向きと逆向きの第４向きに開放されている。上記第１容器は、上記第１向きの端から上記第２向きに切り欠かれており上記第３向き及び上記第４向きに開放された切り欠きを備える。上記第２壁及び上記第３壁は、上記切り欠きに収容されている。上記第２容器及び上記第２蓋の連結部が、上記凹部に収容されている。
【００１９】
この構成では、凹部及び切り欠きが第３向き及び第４向きに開放されている。そのため、第２容器に対して第２開口を開くように第２蓋を回動させるときに、当該回動がフレームや第１容器によって阻害されない。これにより、第２蓋の回動範囲を大きくすることができる。その結果、第２容器に収容された化粧品の取り出しや、化粧品の第２容器への収容が容易となる。
【００２０】
(7) 好ましくは、上記フレームは、上記周壁の内面及び上記閉塞壁の上記第１向きを向く面に、メッキされた金属層を備える。
【００２１】
この構成では、フレームが金属層を備えるため、当該金属層に付着した化粧品を容易に取り除くことができる。
【００２２】
(8) 好ましくは、上記第１容器の上記第２向きを向く面には、凸部が形成されている。
【００２３】
通常、コンパクト容器は、第１容器の第２向きを向く面を下側にして机などの上面に置かれる。この構成では、第１容器の第２向きを向く面に、凸部が形成されている。そのため、コンパクト容器を机などの上面に置いたときに、第１容器の第２向きを向く面が当該上面から浮いた状態となる。その結果、第１容器の第２向きを向く面への異物の付着を低減することができる。
【００２４】
(9) 好ましくは、上記凸部は、半球状である。
【００２５】
この構成では、コンパクト容器が机上などの上面に置かれた状態において、各凸部と当該上面とを点接触とすることができる。つまり、コンパクト容器と当該上面との接触面積を少なくすることができる。その結果、コンパクト容器への異物の付着を低減することができる。
【００２６】
(10) 好ましくは、上記第２蓋が上記第２開口を閉じた状態において、上記第２容器及び上記第２蓋は、上記第１向きに見て同直径の円形状である。
【００２７】
(11) 好ましくは、上記第１蓋が上記第１開口を閉じた状態において、上記第１容器及び上記第１蓋は、上記第１向きに見て同直径の円形状である。上記フレームは、上記第１向きに見て上記第１容器の直径と同じ外径の円環形状である。
【００２８】
(12) 好ましくは、上記第１容器は、上記第２向きを向く円形状の底面と、上記底面の周縁から上記１向きへ向かうにしたがって上記底面の円の径方向の外側へ向かうように傾斜する第１傾斜面と、上記第１傾斜面の上記第１向きの端から上記第１向きへ向かう第１側面と、を備える。
【００２９】
この構成では、第１容器は、底面と第１側面との間に第１傾斜面を備えている。そのため、使用者によるコンパクト容器の把持が容易となる。
【００３０】
(13) 好ましくは、上記第１蓋は、上記第１開口を閉じた状態において上記第１向きを向く円形状の天面と、上記第１開口を閉じた状態において上記天面の周縁から上記第２向きへ向かうにしたがって上記天面の円の径方向の外側へ向かうように傾斜する第２傾斜面と、上記第２傾斜面の上記第２向きの端から上記第２向きへ向かう第２側面と、を備える。
【００３１】
この構成では、第１蓋は、天面と第２側面との間に第２傾斜面を備えている。そのため、使用者によるコンパクト容器の把持が容易となる。
【発明の効果】
【００３２】
この発明によれば、簡単な構造で確実に化粧品を密封することができる。
【図面の簡単な説明】
【００３３】
【図１】図１は、第１蓋３０が開位置であり且つ第２蓋６０が開位置である状態におけるコンパクト容器１０の上方斜視図である。
【図２】図２は、第１蓋３０が閉位置であり且つ第２蓋６０が閉位置である状態におけるコンパクト容器１０の上方斜視図である。
【図３】図３は、コンパクト容器１０の右側面図であり、（Ａ）は第１蓋３０が閉位置である状態を示し、（Ｂ）は第１蓋３０が開位置である状態を示す。
【図４】図４は、第１容器２０及び第１蓋３０の分解斜視図である。
【図５】図５は、フレーム４０の上方斜視図である。
【図６】図６は、フレーム４０の下方斜視図である。
【図７】図７は、第２容器５０及び第２蓋６０の正面図である。
【図８】図８は、第２容器５０と第２蓋６０とシール部材５６と圧入部材９０との斜視図である。
【図９】図９は、第１蓋３０が閉位置であり且つ第２蓋６０が閉位置である状態におけるコンパクト容器１０の下方斜視図である。
【図１０】図１０は、第１蓋３０が開位置であり且つ第２蓋６０が閉位置である状態におけるコンパクト容器１０の上方斜視図である。
【図１１】図１１は、第１蓋３０が閉位置であり且つ第２蓋６０が開位置である状態におけるコンパクト容器１０の上方斜視図である。
【発明を実施するための形態】
【００３４】
以下、本発明の好ましい実施形態が、適宜図面が参照されつつ説明される。なお、本実施の形態は、本発明に係るコンパクト容器の一態様にすぎず、本発明の要旨を変更しない範囲で実施態様が変更されてもよいことは言うまでもない。
【００３５】
［コンパクト容器の概要］
【００３６】
図１及び図２に示されるように、本発明の一実施形態に係るコンパクト容器１０は、第１容器２０と、第１蓋３０と、フレーム４０と、第２容器５０と、第２蓋６０と、圧入部材９０と、を備える。
【００３７】
図３に示されるように、コンパクト容器１０は、机の上面などの載置面１２１に載置されるときに、第１容器２０の底面２４に形成された凸部１６が載置面１２１と当接するように載置される。つまり、コンパクト容器１０は、第１容器２０の底面２４が下側となるように載置面１２１に載置される。以下の説明において、コンパクト容器１０が載置面１２１に載置された状態における上向きが第１向き１０１と定義され、当該状態における下向きが第２向き１０２と定義される。また、コンパクト容器１０を上方から見た場合における円周に沿った方向が周方向１０３と定義される。また、コンパクト容器１０を上方から見た場合における円の中心から放射状に延びる向きに沿った方向が径方向と定義される。
【００３８】
以下に説明されるコンパクト容器１０の各構成部分は、特に記載のない限り、樹脂で構成されている。しかし、コンパクト容器１０は、樹脂以外、例えば木材や金属で構成されていてもよい。
【００３９】
［第１容器］
【００４０】
図４に示されるように、第１容器２０は、内部空間２１（第１内部空間の一例）と、開口２２（第１開口の一例）と、開口２３（第３開口の一例）とを有する概ね円環形状の部材である。
【００４１】
内部空間２１は、開口２２を通じて第１容器２０の上方と連通している。つまり、開口２２は、内部空間２１を第１向き１０１に開放している。内部空間２１は、開口２３を通じて第１容器２０の下方と連通している。つまり、開口２３は、内部空間２１を第２向き１０２に開放している。開口２２及び開口２３は、円形状である。
【００４２】
図３に示されるように、第１容器２０は、底面２４と、第１傾斜面２５と、第１側面２６とを備える。
【００４３】
図９に示されるように、底面２４は、下方を向く面である。底面２４は、下方から見て円形状である。底面２４の中央部に開口２３が形成されている。
【００４４】
底面２４における開口２３よりも外側に、凸部１６が形成されている。凸部１６は、底面２４の周方向１０３に沿って等間隔に４つ形成されている。各凸部１６は、半球状である。なお、凸部１６は、コンパクト容器１０が載置面１２１に載置された状態において底面２４と載置面１２１とが離間された状態となることを条件として、４つ以外の数でもよいし、半球状以外の形状でもよい。
【００４５】
図３に示されるように、第１傾斜面２５は、底面２４の周縁から上方へ向かうにしたがって径方向の外側へ向かうように傾斜している。第１傾斜面２５は、円環形状である。
【００４６】
第１側面２６は、第１傾斜面２５の上端から上方へ向かって延びている。第１側面２６の上端によって、開口２２（図４参照）が区画されている。第１側面２６は、円環形状である。
【００４７】
図４に示されるように、第１側面２６には、凹部２７と、開口２８と、切り欠き２９とが形成されている。
【００４８】
凹部２７は、第１側面２６から第３向きへ凹んでいる。第３向きは、第１向き１０１に直交する向きであって、底面２４の円の縁から当該円の中央へ径方向に沿って向かう向きである。凹部２７は、奥面２７Ａと、一対の側面２７Ｂとによって区画されている。奥面２７Ａ及び一対の側面２７Ｂは、第１側面２６の一部である。一対の側面２７Ｂには、孔２７Ｃが形成されている。孔２７Ｃには、第１蓋３０の突起３６が挿入される。
【００４９】
開口２８は、径方向において、凹部２７と対向する位置に形成されている。
【００５０】
切り欠き２９は、周方向１０３において、凹部２７と開口２８との間に形成されている。切り欠き２９は、第１側面２６の上端から下方へ切り欠かれている。切り欠き２９は、上方（第１向き１０１）、径方向の内方（第３向き）、及び径方向の外方（第４向き）に開放されている。第４向きは、第３向きの逆向きである。つまり、第４向きは、第１向き１０１に直交する向きであって、底面２４の円の中心から当該円の縁へ径方向に沿って向かう向きである。切り欠き２９には、フレーム４０の第２壁４４及び第３壁４５（図５参照）が収容される。
【００５１】
内部空間２１を区画する面には、一対のリブ１８と、一対のリブ１９と、凹部１７とが形成されている。本実施形態において、内部空間２１を区画する面は、第１側面２６の裏側の面であるが、第１側面２６の裏側の面に限らず、例えば第１傾斜面２５の裏側の面であってもよい。
【００５２】
一対のリブ１８は、切り欠き２９の両側端から内部空間２１へ向けて突出している。一対のリブ１９は、切り欠き２９と内部空間２１を挟んで径方向に対向する位置から内部空間２１へ向けて突出している。一対のリブ１９は、周方向１０３において隙間を開けて形成されている。当該隙間には、フレーム４０のリブ４２Ｆ（図６参照）が挿入される。
【００５３】
凹部１７は、周方向１０３に沿って等間隔に４つ形成されている。凹部１７には、フレーム４０の閉塞壁４２の係合部４２Ｄ（図６参照）が挿入される。なお、凹部１７の数は４つ以外でもよい。また、各凹部１７の間隔は周方向１０３に沿って等間隔でなくてもよい。
【００５４】
第１容器２０は、係合切替部材８０を支持している。係合切替部材８０は、第１蓋３０の第１容器２０に対する係合の有無を切り替える部材である。係合切替部材８０は、第１容器２０の内部空間２１に配置されている。係合切替部材８０は、本体８１と、一対の板バネ８２と、係合部８３とを備える。本体８１は、開口２８を通じて第１容器２０の外部に露出している。一対の板バネ８２は、本体８１の周方向１０３の両端から延びている。一対の板バネ８２の各先端は、第１容器２０の内部空間２１に形成された係止壁８４に、スライド自在に当接している。係合部８３は、本体８１に形成された貫通孔８５を区画する面から貫通孔８５の内方へ向けて突出している。
【００５５】
係合切替部材８０は、一対の板バネ８２が弾性によって撓むことにより、係合位置と非係合位置とに移動可能である。係合位置は、係合切替部材８０が第１蓋３０と係合可能な位置である。詳細には、係合切替部材８０が係合位置のとき、係合部８３は第１蓋３０の凸部３５の被係合部３５Ａと係合可能である。非係合位置は、係合切替部材８０が第１蓋３０と係合しない位置である。詳細には、係合切替部材８０が非係合位置のとき、係合部８３は第１蓋３０の凸部３５の被係合部３５Ａと係合しない。
【００５６】
係合切替部材８０は、外部から力を付与されていない状態において、一対の板バネ８２の付勢力によって係合位置に位置している。開口２８を通じて第１容器２０の外部に露出した本体８１が使用者によって押圧されると、係合切替部材８０は、一対の板バネ８２の付勢力に抗して係合位置から非係合位置へ移動する。使用者による本体８１の押圧が解除されると、係合切替部材８０は、一対の板バネ８２の付勢力によって非係合位置から係合位置へ移動する。
【００５７】
［第１蓋］
【００５８】
図１に示されるように、第１蓋３０は、第１容器２０に対して開口２２を開閉するように回動可能に連結されている。第１蓋３０は、概ね円柱形状の部材である。第１蓋３０が第１容器２０に対して開口２２を開く開位置に回動された状態が、図１及び図３（Ｂ）に示されている。第１蓋３０が第１容器２０に対して開口２２を閉じる閉位置に回動された状態が、図２及び図３（Ａ）に示されている。なお、以下の第１蓋３０の説明では、第１蓋３０が閉位置に回動された状態であるとして、各方向が定義される。
【００５９】
図３に示されるように、第１蓋３０は、天面３１と、第２傾斜面３２と、第２側面３３とを備える。
【００６０】
図２に示されるように、天面３１は、上方を向く面である。天面３１は、上方から見て円形状である。図４に示されるように、天面３１の裏側の面には、鏡１２２が貼り付けられている。ここで、天面３１の裏側の面は、第１蓋３０が閉位置のときに下方を向く面であり、第１蓋３０が閉位置のときに第１容器２０との間に挟まれて外部から視認されなくなる面である。
【００６１】
図３に示されるように、第２傾斜面３２は、天面３１の周縁から下方へ向かうにしたがって径方向の外側へ向かうように傾斜している。第２傾斜面３２は、円環形状である。
【００６２】
第２側面３３は、第２傾斜面３２の下端から下方へ向かって延びている。第２側面３３は、円環形状である。
【００６３】
図４に示されるように、第１蓋３０は、凸部３４及び凸部３５を備える。凸部３４及び凸部３５は、第２側面３３よりも下方へ突出している。
【００６４】
凸部３４の一対の側面３４Ａの各々から、突起３６が突出している。突起３６は、第１容器２０の一対の側面２７Ｂに形成された孔２７Ｃに挿入される。これにより、第１蓋３０は、突起３６の軸線を中心として、第１容器２０に対して開口２２を開閉するように回動可能に連結されている。
【００６５】
凸部３５の先端部には、被係合部３５Ａが形成されている。被係合部３５Ａは、凸部３５の先端部から突出した突起である。
【００６６】
第１蓋３０が開位置のとき、第１容器２０の係合切替部材８０は、一対の板バネ８２の付勢力によって係合位置に位置している。第１蓋３０が開位置から閉位置へ回動する過程において、凸部３５の被係合部３５Ａが、係合切替部材８０の係合部８３に上方から当接して、係合部８３を押す。これより、係合切替部材８０は、一対の板バネ８２の付勢力に抗して非係合位置に移動する。第１蓋３０が更に閉位置へ向けて回動することによって、被係合部３５Ａが係合部８３よりも下方にまで移動すると、被係合部３５Ａが係合部８３から離間する。これにより、係合切替部材８０は、一対の板バネ８２の付勢力によって係合位置に移動する。その結果、係合部８３と被係合部３５Ａとが係合する。このとき、第１蓋３０は、閉位置である。つまり、第１蓋３０は、係合部８３と被係合部３５Ａとの係合によって、閉位置に保持される。
【００６７】
第１蓋３０が閉位置に位置する状態において、開口２８を通じて第１容器２０の外部に露出した本体８１が使用者によって押圧されると、係合切替部材８０は、一対の板バネ８２の付勢力に抗して係合位置から非係合位置へ移動する。これにより、第１蓋３０の閉位置から開位置への回動が可能となる。
【００６８】
第２側面３３の外径は、第１側面２６の外径と同一である。よって、図２及び図３（Ａ）に示されるように、第１蓋３０が閉位置に位置する状態において、第１容器２０及び第１蓋３０の外観は、概ね円柱形状を呈する。つまり、第１蓋３０が閉位置に位置する状態において、第１容器２０及び第１蓋３０は、上方から見て（第１向き１０１に見て）同直径の円形状である。
【００６９】
［フレーム］
【００７０】
図１及び図１０に示されるように、フレーム４０は、第１容器２０の内部空間２１に配置された状態で、第１容器２０に取り付けられている。
【００７１】
図５及び図６に示されるように、フレーム４０は、全体として概ね円環形状である。フレーム４０は、周壁４１と、閉塞壁４２とを備えている。
【００７２】
周壁４１は、円環状の壁である。周壁４１は、上方及び下方が開放された姿勢で、第１容器２０の内部空間２１に配置される。周壁４１の直径は、第１容器２０の直径よりも短い。
【００７３】
閉塞壁４２は、周壁４１の上端から径方向に沿って外側へ延びている。換言すると、閉塞壁４２は、周壁４１の上端から第４向きへ延びている。これにより、閉塞壁４２は、円環状を呈している。図１に示されるように、閉塞壁４２の外縁は、第１容器の第１側面２６の上方に位置している。つまり、閉塞壁４２は、第１容器２０の開口２２における周壁４１の外側の領域を閉塞している。すなわち、フレーム４０は、上方から見て（第１向き１０１に見て）第１容器２０と同じ外径の円環形状である。
【００７４】
閉塞壁４２は、第１壁４３と、第２壁４４と、第３壁４５とを備える。第１壁４３は、閉塞壁４２の上端を構成している。第２壁４４は、第１壁４３よりも下方に位置する。第３壁４５は、第１壁４３から下方へ向けて延びている。第３壁４５は、第１壁４３と第２壁４４とを繋いでいる。第１壁４３は、第３壁４５よりも周方向１０３に長い。
【００７５】
周壁４１は、径方向に撓むことが可能な２つの可撓部４６と、４つの突起４７とを備えている。可撓部４６及び突起４７は、係合部の一例である。
【００７６】
各可撓部４６は、一対の切り欠き４６Ａの間の部分である。切り欠き４６Ａは、周壁４１の下端から上方へ向けて切り欠かれている。
【００７７】
突起４７は、周壁４１の内面から突出している。本実施形態において、突起４７は、周方向１０３に沿って等間隔に４つ形成されている。４つの突起４７のうちの２つは、各可撓部４６の下端部（先端部）に形成されている。４つの突起４７のうちの残り２つは、可撓部４６の下端部（先端部）に形成された突起４７と、径方向に対向している。
【００７８】
なお、可撓部４６の数は２つ以外でもよい。例えば、可撓部４６は４つ形成されており、４つの突起４７の各々は、各可撓部４６の下端部に形成されていてもよい。また、突起４７の数は４つ以外でもよい。また、各突起４７の間隔は、周方向１０３に沿って等間隔でなくてもよい。
【００７９】
図５に示されるように、閉塞壁４２には、凹部４２Ａと、凹部４２Ｂと、開口４２Ｃとが形成されている。
【００８０】
凹部４２Ａは、下方へ凹んでいる。凹部４２Ａは、第２壁４４と第３壁４５とによって区画されている。凹部４２Ａは、上方（第１向き１０１）、径方向の内方（第３向き）、及び径方向の外方（第４向き）に開放されている。フレーム４０が第１容器２０に取り付けられた状態において、凹部４２Ａは、第１容器２０の切り欠き２９内に位置している。つまり、当該状態において、第２壁４４及び第３壁４５は、切り欠き２９に収容されている。
【００８１】
凹部４２Ｂは、閉塞壁４２の第１壁４３の外縁から径方向へ凹んでいる。フレーム４０が第１容器２０に取り付けられた状態において、凹部４２Ｂは、第１容器２０の凹部２７の上方に位置している。これにより、当該状態において、第１蓋３０の凸部３４が、凹部４２Ｂを介して上方へ露出される。
【００８２】
開口４２Ｃは、第１壁４３に形成されている。開口４２Ｃは、凹部４２Ｂと径方向に対向する位置に形成されている。フレーム４０が第１容器２０に取り付けられた状態において、開口４２Ｃは、係合切替部材８０の係合部８３の上方に位置している。これにより、当該状態において、係合部８３が、開口４２Ｃを介して上方へ露出される。また、第１蓋３０が開位置から閉位置へ回動する過程において、凸部３５の被係合部３５Ａが、開口４２Ｃを通じて内部空間２１へ進入し、係合切替部材８０の係合部８３と係合可能である。
【００８３】
図６に示されるように、閉塞壁４２の第１壁４３には、係合部４２Ｄと、一対のリブ４２Ｅと、リブ４２Ｆと、一対のリブ４２Ｇとが形成されている。
【００８４】
係合部４２Ｄは、第１壁４３の下面から下方へ突出している。係合部４２Ｄの先端部は、径方向の外方へ屈曲している。この屈曲した部分が第１容器２０の凹部１７へ挿入されることにより、フレーム４０は第１容器２０に固定される。係合部４２Ｄは、凹部１７に対応して形成されている。つまり、本実施形態において、係合部４２Ｄは、等間隔に４つ形成されている。係合部４２Ｄの数及び係合部４２Ｄの配置位置は、凹部１７の数及び形成位置に合わせて適宜変更可能である。
【００８５】
一対のリブ４２Ｅは、第１壁４３の下面から下方へ突出している。一対のリブ４２Ｅは、周方向１０３において第２壁４４を挟む位置に形成されている。一対のリブ４２Ｅは、周方向１０３において第２壁４４と対向している。
【００８６】
リブ４２Ｆは、第１壁４３の下面から下方へ突出している。リブ４２Ｆは、第３壁４５と径方向に対向する位置に形成されている。
【００８７】
フレーム４０が第１容器２０に取り付けられた状態において、第１容器２０の一対のリブ１８の各々（図４参照）が一対のリブ４２Ｅの各々と第２壁４４との隙間に位置し、第１容器２０の一対のリブ１９（図４参照）の隙間にリブ４２Ｆが位置する。これにより、フレーム４０が第１容器２０に対して周方向１０３に位置決めされる。
【００８８】
一対のリブ４２Ｇは、第１壁４３の下面から下方へ突出している。一対のリブ４２Ｇは、周方向１０３において開口４２Ｃを挟む位置に形成されている。フレーム４０が第１容器２０に取り付けられた状態において、一対のリブ４２Ｇの各々は、一対の板バネ８２の各々に上方から当接する。これにより、係合切替部材８０が上下方向に位置決めされる。
【００８９】
周壁４１の内面４１Ａ（図５及び図６参照）と閉塞壁４２の上面４２Ｈ（図５参照）とには、金属層がメッキされている。なお、金属層の有無は任意である。つまり、内面４１Ａ及び上面４２Ｈには、金属層がメッキされていなくてもよい。
【００９０】
［第２容器］
【００９１】
図７及び図８に示される第２容器５０は、内部空間５１（第２内部空間の一例）と、開口５２（第２開口の一例）とを有する概ね円柱形状の部材である。
【００９２】
第２容器５０の直径は、フレーム４０の周壁４１の内径よりも小さい。これにより、図１に示されるように、第２容器５０は、フレーム４０の周壁４１の内側に収容可能である。つまり、第２容器５０は、フレーム４０が第１容器２０に取り付けられた状態において、第１容器２０の内部空間２１における周壁４１の内側に収容可能である。
【００９３】
図８に示される内部空間５１は、化粧品などを収容するための空間である。内部空間５１は、開口５２を通じて第２容器５０の上方と連通している。つまり、開口５２は、内部空間５１を上方に開放している。開口５２は、円形状である。内部空間５１は、底壁５１Ａと側壁５１Ｂとによって区画されている。底壁５１Ａは、円板形状である。側壁５１Ｂは、底壁５１Ａの周縁から上方へ延びている。側壁５１Ｂは、円環形状である。底壁５１Ａの下面の面積は、第１容器２０の開口２３の面積よりも大きい。これにより、第２容器５０が第１容器２０の内部空間２１における周壁４１の内側に収容された状態において、開口２３は、底壁５１Ａによって閉塞されている（図９参照）。なお、図７に示されるように、底壁５１Ａの中央部（詳細には開口２３に対応する部分）は、底壁５１Ａの周縁部（詳細には開口２３の外側に対応する部分）よりも下方へ突出している。底壁５１Ａの中央部が開口２３に嵌ることにより、第２容器５０を第１容器２０に対して位置決めすることができる。
【００９４】
図８に示されるように、第２容器５０は、一対の凸部５３（連結部の一例）と、凹部５４（係合部の一例）と、環状溝５５とを有している。
【００９５】
一対の凸部５３は、側壁５１Ｂから径方向の外側へ突出している。一対の凸部５３は、周方向１０３に間隔を空けて配置されている。第２容器５０が第１容器２０の内部空間２１における周壁４１の内側に収容された状態において、一対の凸部５３は、フレーム４０の凹部４２Ａに収容されている（図１参照）。各凸部５３には、孔５３Ａが形成されている。孔５３Ａには、第２蓋６０の凸部６１の突起６１Ａが挿入されている。
【００９６】
図７及び図８に示されるように、４つの凹部５４は、側壁５１Ｂに形成されている。凹部５４は、周方向１０３に沿って等間隔に４つ形成されている。凹部５４には、フレーム４０の周壁４１の突起４７（図５及び図６参照）が挿入される。これにより、第２容器５０がフレーム４０に係合する。上述したように、４つの突起４７のうちの２つは、可撓部４６の下端部に形成されている。この２つの突起４７は、可撓部４６が撓むことによって径方向に移動可能である。そのため、第２容器５０は、可撓部４６が撓むことによる突起４７の移動によって、フレーム４０に対して着脱可能である。凹部５４の数及び凹部５４の形成位置は、フレーム４０の突起４７の数及び形成位置に合わせて適宜変更可能である。
【００９７】
図８に示されるように、環状溝５５は、側壁５１Ｂの上面から下方へ凹んでいる。環状溝５５は、開口５２の外側に開口５２を囲むように形成されている。
【００９８】
図１に示されるように、環状溝５５には、シール部材５６が嵌め込まれている。シール部材５６は、シリコンやゴムなどの弾性体で構成されている。図８に示されるように、シール部材５６は、環状溝５５に対応した円環形状である。
【００９９】
［第２蓋］
【０１００】
図７及び図８に示されるように、第２蓋６０は、第２容器５０に対して開口５２を開閉するように回動可能に連結されている。第２蓋６０は、概ね円柱形状である。第２蓋６０が第２容器５０に対して開口５２を開く開位置に回動された状態が、図１及び図８に示されている。第２蓋６０が第２容器５０に対して開口５２を閉じる閉位置に回動された状態が、図７及び図１０に示されている。なお、以下の第２蓋６０の説明では、第２蓋６０が閉位置に回動された状態であるとして、各方向が定義される。
【０１０１】
第２蓋６０は、凸部６１（連結部の一例）と、把持部６２と、リブ６３と、リブ６４と、リブ６５（環状リブの一例）とを備えている。
【０１０２】
図８に示されるように、凸部６１は、第２蓋６０の本体である円板の側面から径方向外側へ向けて突出している。凸部６１には、一対の突起６１Ａが形成されている。一対の突起６１Ａは、凸部６１の両側面の先端部から突出している。一対の突起６１Ａの各々は、第２容器５０の一対の凸部５３の各々に形成された孔５３Ａに挿入されている。これにより、第２蓋６０は、突起６１Ａの軸線を中心として、第２容器５０に対して開口５２を開閉するように回動可能に連結されている。第２容器５０が第１容器２０の内部空間２１における周壁４１の内側に収容された状態において、凸部６１は、フレーム４０の凹部４２Ａに収容されている（図１参照）。
【０１０３】
図７及び図８に示される把持部６２は、第２蓋６０が第２容器５０に対して開閉される際に把持される部分である。把持部６２は、第２蓋６０の本体である円板の側面から径方向外側へ向けて突出している。把持部６２は、径方向において凸部６１と対向する位置に形成されている。図７に示されるように、把持部６２の下面６２Ａは、円板の周方向の中央に近いほど上方に位置するように湾曲している。これにより、把持部６２は、使用者にとって把持し易くなっている。
【０１０４】
図１０に示されるように、リブ６３は、第２蓋６０の本体である円板の上面６０Ｂの周縁から上方へ突出している。リブ６３は、円環形状である。リブ６３と上面６０Ｂとによって凹部６６が形成される。凹部６６には、第２容器５０に収容された化粧品などを付着させるためのスポンジなどを載置することができる。
【０１０５】
図８に示されるように、リブ６４は、第２蓋６０の本体である円板の下面６０Ａ（対向面の一例）の周縁から下方へ突出している。リブ６４は、円環形状である。
【０１０６】
リブ６５は、下面６０Ａにおけるリブ６４の内側から下方へ突出している。リブ６５は、円環形状である。第２蓋６０が閉位置のときに、下面６０Ａ及びリブ６５は、下方（第２向き１０２）を向いている。第２蓋６０が閉位置のときに、リブ６５は、上方からシール部材５６に圧接している。
【０１０７】
下面６０Ａにおけるリブ６５の内側は、粗面に形成されている。粗面とは、エッチング処理などが施されることにより形成される多数の凹みによって、凹凸を有する面である。なお、下面６０Ａにおけるリブ６５の内側は、粗面に形成されていなくてもよい。
【０１０８】
なお、図示されていないが、第２蓋６０に凸部または凹部の一方が形成されており、第２容器５０に凸部または凹部の他方が形成されている。そして、第２蓋６０が閉位置のときに凸部と凹部とが係合することにより、第２蓋６０は閉位置に保持されることが可能となっている。また、閉位置の第２蓋６０に開位置へ向けての力が付与されることによって、凸部または凹部の少なくとも一方が弾性変形することにより、第２蓋６０の閉位置への保持が解除される。これにより、第２蓋６０は開位置へ回動することが可能となる。
【０１０９】
第２蓋６０の外径は、第２容器５０の直径と同一である。よって、図７に示されるように、第２蓋６０が閉位置に位置する状態において、第２容器５０及び第２蓋６０の外観は、概ね円柱形状を呈する。つまり、第２蓋６０が閉位置に位置する状態において、第２容器５０及び第２蓋６０は、上方から見て（第１向き１０１に見て）同直径の円形状である。
【０１１０】
［圧入部材］
【０１１１】
図８に示される圧入部材９０は、第２容器５０の内部空間５１に圧入される部材である。圧入部材９０は、第２容器５０よりも軟らかい材料で構成されている。なお、圧入部材９０は、第２容器５０と同じ材料であってもよいし、第２容器５０よりも硬い材料で構成されていてもよい。
【０１１２】
図８に示されるように、圧入部材９０は、第１環状壁９１と、第２環状壁９２とを備える。
【０１１３】
第１環状壁９１は、円環形状である。第１環状壁９１の外径は、第２容器５０の内部空間５１の内径と略同一である。本実施形態において、第１環状壁９１の外径は、内部空間５１の内径よりも少し大きい。これにより、圧入部材９０は、第１環状壁９１が内部空間５１を区画する側壁５１Ｂと対向するように、内部空間５１に圧入可能である。
【０１１４】
第２環状壁９２は、第１環状壁９１の上端部から第１環状壁９１の内側へ向けて延びている。第２環状壁９２は、円環形状である。
【０１１５】
［第１蓋及び第２蓋の開閉動作］
【０１１６】
図２及び図３（Ａ）に示されるように、第１蓋３０が閉位置であり且つ第２蓋６０が閉位置である状態において、コンパクト容器１０は、概ね円柱の外径を呈している。
【０１１７】
上記状態から、第１蓋３０が閉位置から開位置へ回動されると、図３（Ｂ）及び図１０に示されるように、フレーム４０及び第２蓋６０が露出される。また、鏡１２２が露出される。また、図３（Ｂ）及び図１０に示される状態において、第２蓋６０の凹部６６に、スポンジなどを載置することができる。
【０１１８】
図３（Ｂ）及び図１０に示される状態から、第２蓋６０が閉位置から開位置へ回動されると、図１に示されるように、第２容器５０及びその内部空間５１、並びに圧入部材９０が露出される。これにより、内部空間５１へ化粧品などを収容したり、内部空間５１に収容された化粧品などをスポンジなどに付着させることなどによって消費したりすることが可能となる。
【０１１９】
第１蓋３０及び第２蓋６０を閉じるときは、上記と逆の手順が実行される。つまり、図１に示される状態から、第２蓋６０が開位置から閉位置へ回動されることにより、図３（Ｂ）及び図１０に示される状態となる。そして、図３（Ｂ）及び図１０に示される状態から、第１蓋３０が開位置から閉位置へ回動されることにより、図２及び図３（Ａ）に示される状態となる。
【０１２０】
なお、図１１に示されるように、第２蓋６０を閉じることなく、第１蓋３０を閉じることも可能である。
【０１２１】
［変形例］
第１容器２０、フレーム４０、及び圧入部材９０は、円環形状に限らない。また、第１蓋３０、第２容器５０、及び第２蓋６０は、円柱形状に限らない。
【０１２２】
例えば、第１容器２０は、四角柱形状であってもよい。この場合、第１容器２０の形状に合わせて、第１蓋３０及びフレーム４０の形状は適宜変更可能である。また、フレーム４０の形状に合わせて、第２容器５０及び第２蓋６０の形状は適宜変更可能である。また、第２容器５０の内部空間５１の形状に合わせて、圧入部材９０の形状は適宜変更可能である。
【０１２３】
また、例えば、第１容器２０は、第１傾斜面２５を備えていなくてもよい。つまり、底面２４の周縁から第１側面２６が上方へ延びていてもよい。
【０１２４】
また、例えば、第２容器５０は、第２傾斜面３２を備えていなくてもよい。つまり、天面３１の周縁から第２側面３３が下方へ延びていてもよい。
【０１２５】
第１容器２０の開口２２、２３、第２容器５０の開口５２は、円形状に限らず、例えば四角形状であってもよい。
【０１２６】
第１容器２０は、開口２３を備えていなくてもよい。
【０１２７】
コンパクト容器１０は、圧入部材９０を備えていなくてもよい。
【０１２８】
［作用効果］
【０１２９】
本実施形態では、リブ６５がシール部材５６に圧接されることによって、第２容器５０の内部空間５１が第２蓋６０によって密封される。つまり、内部空間５１の密封に際して、リブ６５が凹部に圧入される構成ではない。これにより、内部空間５１を密封するために、第２容器５０と第２蓋６０とに高い寸法精度は不要である。
【０１３０】
本実施形態では、第１容器２０が開口２２に加えて開口２３を備える。これにより、第１容器２０が環状に構成される。その結果、第１容器２０が開口２３を備えていない場合、つまり第１容器２０が箱状である場合に比べて、第１容器２０を高い寸法精度で製造できるとともに、第１容器２０を軽量化できる。
【０１３１】
また、開口２３が底壁５１Ａによって閉塞されるため、開口２３を通じた内部空間２１への使用者のアクセスを防止することができる。
【０１３２】
本実施形態では、第２蓋６０の本体の下面６０Ａが粗面であるため、第２容器５０に収容された化粧品の下面６０Ａへの付着を低減することができる。
【０１３３】
通常、第２容器５０に収容された固形の化粧品は、両面テープなどによって第２容器５０の内部空間５１に保持される。しかし、本実施形態では、第２容器５０に収容された固形の化粧品は、第２環状壁９２によって上方から押さえられることによって、内部空間５１に保持される。よって、固形の化粧品を内部空間５１に保持するために、両面テープなどが不要である。
【０１３４】
本実施形態では、圧入部材９０が第２容器５０よりも軟らかいため、圧入部材９０を内部空間５１に容易に圧入させることができる。
【０１３５】
本実施形態では、凹部４２Ａ及び切り欠き２９が第３向き及び第４向きに開放されている。そのため、第２容器５０に対して開口５２を開くように第２蓋６０を回動させるときに、当該回動がフレーム４０や第１容器２０によって阻害されない。これにより、第２蓋６０の回動範囲を大きくすることができる。その結果、第２容器５０に収容された化粧品の取り出しや、化粧品の第２容器５０への収容が容易となる。
【０１３６】
本実施形態では、フレーム４０が金属層を備えるため、当該金属層に付着した化粧品を容易に取り除くことができる。
【０１３７】
通常、コンパクト容器１０は、第１容器２０の下方を向く面を下側にして机などの上面（載置面１２１）に置かれる。本実施形態では、第１容器２０の下方を向く面（底面２４）に、凸部１６が形成されている。そのため、コンパクト容器１０を載置面１２１に置いたときに、第１容器２０の底面２４が載置面１２１から浮いた状態となる。その結果、第１容器２０の底面２４への異物の付着を低減することができる。
【０１３８】
本実施形態では、凸部１６は半球状である。そのため、コンパクト容器１０が載置面１２１に置かれた状態において、各凸部１６と載置面１２１とを点接触とすることができる。つまり、コンパクト容器１０と載置面１２１との接触面積を少なくすることができる。その結果、コンパクト容器１０への異物の付着を低減することができる。
【０１３９】
本実施形態では、第１容器２０は、底面２４と第１側面２６との間に第１傾斜面２５を備えている。また、第１蓋３０は、天面３１と第２側面３３との間に第２傾斜面３２を備えている。そのため、使用者によるコンパクト容器１０の把持が容易となる。
【符号の説明】
【０１４０】
１０・・・コンパクト容器
１６・・・凸部
１７・・・凹部
１８・・・一対のリブ
１９・・・一対のリブ
２０・・・第１容器
２１・・・内部空間（第１内部空間）
２２・・・開口（第１開口）
２３・・・開口（第３開口）
２４・・・底面
２５・・・第１傾斜面
２６・・・第１側面
２７・・・凹部
２８・・・開口
２９・・・切り欠き
３０・・・第１蓋
３１・・・天面
３２・・・第２傾斜面
３３・・・第２側面
３４・・・凸部
３５・・・凸部
３６・・・突起
４０・・・フレーム
４１・・・周壁
４２・・・閉塞壁
４３・・・第１壁
４４・・・第２壁
４５・・・第３壁
４６・・・可撓部（係合部）
４７・・・突起（係合部）
５０・・・第２容器
５１・・・内部空間（第２内部空間）
５２・・・開口（第２開口）
５３・・・一対の凸部（連結部）
５４・・・凹部（係合部）
５５・・・環状溝
５６・・・シール部材
６０・・・第２蓋
６１・・・凸部（連結部）
６２・・・把持部
６３・・・リブ
６４・・・リブ
６５・・・リブ（環状リブ）
８０・・・係合切替部材
８１・・・本体
８２・・・一対の板バネ
８３・・・係合部
８４・・・係止壁
９０・・・圧入部材
１０１・・・第１向き
１０２・・・第２向き
１０３・・・周方向
１２１・・・載置面
１２２・・・鏡
【図１】
2018191778.tif 000003
【図２】
2018191778.tif 000004
【図３】
2018191778.tif 000005
【図４】
2018191778.tif 000006
【図５】
2018191778.tif 000007
【図６】
2018191778.tif 000008
【図７】
2018191778.tif 000009
【図８】
2018191778.tif 000010
【図９】
2018191778.tif 000011
【図１０】
2018191778.tif 000012
【図１１】
2018191778.tif 000013